(57)【特許請求の範囲】
【請求項１】
フード部の捕獲空間の開口周縁部の少なくとも一部に、前記捕獲空間の内側に向けて縁方向全長にわたらないように膨出させた膨出部を設けて、この膨出部の両側または片側に備えられる拡張空間を有する前記捕獲空間に取り付け配置されて、前記開口周縁部との間に吸込み間隙を確保する整流板であって、
整流板本体は、前記膨出部に応じて対向する整流板の縁全長にわたらない窪み部を備え、
この窪み部は、前記膨出部との間に前記吸込み間隙を確保する底面視形状にて前記整流板本体の周囲縁部に形成され、
前記膨出部の両側または片側に備えられる拡張空間を有する部分において、前記吸込間隙の幅が他の部分より広いことを特徴とする整流板。
【請求項２】
前記窪み部は、底面視で略四角形状を呈する前記整流板本体の周囲縁部のうち、その一辺縁部を、前記膨出部の膨出形状に沿わせ、かつ、前記捕獲空間の前記拡張空間側に向けて延設させることで前記一辺縁部に形成されることを特徴とする請求項１に記載の整流板。
【請求項３】
捕獲空間を有するフード部と、
前記捕獲空間の天面部に開口されている吸気口に連通させて前記フード部の上に設置される排気装置と、
前記捕獲空間に取り付け配置されて、該捕獲空間の開口周縁部との間に吸込み間隙を確保する整流板と、を備えているレンジフードであって、
前記捕獲空間の開口周縁部の少なくも一部に、前記捕獲空間の内側に向けて縁方向全長にわたらないように膨出させた膨出部を備えて、この膨出部の両側または片側に前記捕獲空間の拡張空間を備え、
かつ、前記膨出部との間に前記吸込み間隙を確保する底面視形状の整流板本体は、前記膨出部に応じて対向する整流板の縁全長にわたらない窪み部を前記整流板の周囲縁部に備え、
前記膨出部の両側または片側に備えられる拡張空間を有する部分において、前記吸込間隙の幅が他の部分より広いことを特徴とするレンジフード。
【請求項４】
前記膨出部は、底面視で略四角形状を呈する前記捕獲空間の前記開口周縁部の一部を除いて、該開口周縁部の縁幅を幅狭にすることで前記開口周縁部の前記一部に形成され、
前記窪み部は、底面視で略四角形状を呈する前記整流板の周囲縁部のうち、その一辺縁部を、前記膨出部の膨出形状に沿わせ、かつ、前記捕獲空間の前記拡張空間側に向けて延設させることで前記一辺縁部に形成されることを特徴とする請求項３に記載のレンジフード。
【請求項５】
前記吸気口が、底面視で前記フード部の中央部位よりもキッチン壁に接する該フード部の壁当接面部側寄りに位置して開口され、
前記吸込み間隙が、前記壁当接面部側に位置する前記開口周縁部との間では狭く、前記壁当接面部側以外の他の開口周縁部との間では広く確保されていることを特徴とする請求項３または請求項４に記載のレンジフード。
【請求項６】
前記膨出部は、前記フード部に備えられるオイルパネルに一体に形成され、かつ、前記開口周縁部に略平面的に連なる膨出面の面周囲から前記捕獲空間の空間底および前記拡張空間の空間底に至る膨出周面形状が流線形に形成されていることを特徴とする請求項３〜５のいずれかに記載のレンジフード。
【請求項７】
前記膨出部が、照明設置部であることを特徴とする請求項３〜６のいずれかに記載のレンジフード。
【請求項８】
前記照明設置部が、キッチン側に位置するフード部の前面部に沿う前記開口周縁部の縁方向の中央部位に備えられていることを特徴とする請求項７に記載のレンジフード。
【発明の詳細な説明】
【技術分野】
【０００１】
本発明は、ガスコンロ、電気コンロ、或いは電磁誘導加熱式クッキングヒータ（いわゆるＩＨクッキングヒータ）などの加熱調理器具による調理中に発生する廃ガス、油煙、湯煙（鍋などからの湯気）などの汚染空気の流れを整えるとともに吸込み捕獲効率を高めるために、フード部の下向き開口する捕獲空間に備えられる整流板、およびこの整流板を備えたレンジフードに関する。
【背景技術】
【０００２】
近年では、システムキッチンなどにマッチさせた統一感のあるデザイン性などが考慮されて薄型（平型）のレンジフードが注目されている。この薄型レンジフードは、下向きに開口する捕獲空間を有するフード部の上に、吸引力を捕獲空間に伝播させるとともに、捕獲空間に吸込み捕獲された汚染空気を屋外に排気する排気装置を設置してなる（例えば、特許文献１〜特許文献３などを参照）。
つまり、薄型レンジフードは、フード部の片側やその両側において取り付け配置されるキッチン棚などにマッチさせるなどのシステムキッチンとの統一感のあるデザイン性などの制約を受けずに、幅広く、フード部として斬新なデザインを実施することができるなどから、注目されている。
【０００３】
そして、薄型レンジフードでは、特許文献１〜特許文献３のそれぞれの図１に示されているように、フード部の下向きに開口する捕獲空間に、汚染空気の吸い込み捕獲効率（捕集効率）を高めるための整流板を備えている。
このように、フード部の捕獲空間に整流板を備えることで、整流板の周囲縁部と捕獲空間の開口周縁部との間に、汚染空気の吸込み流速を高める吸込み間隙（特許文献１では吸込み空間、特許文献２では吸気口と称している）を確保し、これにより、浅い捕獲空間でありながら、汚染空気の吸込み捕獲効率を高めるようにしている。
つまり、フード部の薄型化とともに捕獲空間の深さがより浅くなり、そのために、ガスコンロなどの加熱調理器の熱口（火口）や調理鍋から舞い上がり上昇に伴って広がる傾向にある汚染空気を捕獲空間で捕獲（捕集）できずにキッチン天井側などに取り逃がしてしまう。
この取り逃がしを抑えて捕獲空間での捕獲効率を高めるために、整流板の装着することによって捕獲空間の開口周縁部との間に吸込み流速の勢いを高める吸込み隙間を確保し、上昇に伴って広がる傾向にある汚染空気を取り逃がすことなく、吸込み隙間に勢い良く作用する吸込み流速によって捕獲空間に確実に吸込み捕獲するための改善が行われてきている。
【０００４】
また、薄型レンジフードでは、特許文献１〜特許文献３に示されている。例えば、特許文献１に示されているように、キッチン壁への取り付けは、排気装置（送風機ユニット）の排気ボックスを、Ｌ形の吊り金具などを用いたネジ止めなどによって行われる。そのために、排気装置（排気ボックス）は、フード部の壁当接面部である後面部に略面一になるようにフード部の後側に位置し、フード部の天板（または捕獲空間の天面部）に開口されている吸気口（特許文献１の開口２１ａ）に連通されてフード部の上に設置される。つまり、薄型レンジフードでは、吊り金具などを用いたネジ止めによって排気装置がキッチン壁に定着固定され、排気装置にフード部が支持された状態で加熱調理器の略真上に位置して設置される。
そして、このように排気装置がフード部の後側に位置して設置されることで、特許文献１および特許文献２に示されているように、排気装置を目隠すようにフード部の天板の上からキッチン天井に至るように取り付けられる幕板（化粧板）をキッチン棚などの扉表面と略面一状態と成し得るようにしている。
【０００５】
また、薄型レンジフードでは、調理者の手元や加熱調理器の熱口や調理鍋の鍋底などを照らす照明を、特許文献３に示されているように、捕獲空間の開口周縁部のうち、キッチン側（調理者側）に位置するフード部の前面部に沿う開口前辺縁部に備えて、調理者の手元や鍋底を効果的に照らすことができるようにしている。
【先行技術文献】
【特許文献】
【０００６】
【特許文献１】特開２００６−１７０５３９号公報（段落番号００１１〜００１２、および図１参照）
【特許文献２】特開２００７−１０７７５１号公報（段落番号００５４〜００５５、および図１参照）
【特許文献３】特開２００７−７８２２３号公報（段落番号００３３、および図１参照）
【発明の概要】
【発明が解決しようとする課題】
【０００７】
ところで、特許文献３に示されているように、照明をフード部の前面部側に備えることで、調理者の手元や調理鍋の鍋底などを照らす上で有効である。つまり、ガスコンロなどの加熱調理器では、主に平面視で略四角形状を呈するトッププレートの前側２ヶ所と、後側中央１ヶ所に熱口（火口など）が備えられており、前側２ヶ所の熱口の使用頻度が高いものである。
そのために、前側２ヶ所の熱口を使用して中華鍋による野菜炒めや深底鍋によるビーフシチューなどの料理を作るときに、前側２ヶ所の熱口にかけられた鍋底、特に、深底鍋の鍋底まで確実に照らすことができる前側２ヶ所の熱口の略真上に位置するフード部の前面部側に位置させて照明を備えることが有効である。
【０００８】
しかしながら、従来技術では、照明をフード部の前面部側に位置させて備えるために、特許文献３の図１に示されているように、前面部に沿う捕獲空間の開口前辺縁部の縁幅を、フード部の前面部から捕獲空間の内側に向けて縁方向全長（フード部の横幅全長）にわたり膨出させた幅広にしている。つまり、ランプなどの照明が取り付けられる照明ボックスを下向き開口の状態で内蔵させるための照明設置部を確保するために、従来では、開口前辺縁部の縁幅を、照明設置部に合わせて縁方向全長にわたり幅広にしている。
そのために、使用頻度が高く、それに伴い汚染空気の発生率（舞い上がり率）が高い前側２ヶ所の熱口の略真上に位置する捕獲空間の空間開口が、幅広形状の開口前辺縁部によって狭くなり、結果として、前側２ヶ所の熱口や調理鍋から舞い上がってくる汚染空気の一部をキッチン天井側に取り逃がしてしまうなどの問題を引き起こす原因となっていた。つまり、捕獲空間へと舞い上がってくる汚染空気の一部が、幅広形状の開口前辺縁部に突き当たり、吸込み隙間から捕獲空間に吸込み捕獲されることなく、キッチン天井側などへと拡散し取り逃がしてしまう問題（課題）が未だに残されており、その解決策が望まれている。
【０００９】
そこで、本発明は、前記課題を解消するために創案されたものであり、薄型レンジフードであって、加熱調理器の前側２ヶ所の熱口にかけられた調理鍋の鍋底を効果的に照らすことができるフード部の前側に照明を備えた上で、前側２ヶ所の熱口や調理鍋から舞い上がってくる汚染空気を取り逃がすことなく確実に吸込み捕獲し得る開口形状を有する捕獲空間に備えられる整流板、およびこの整流板を備えたレンジフードを提供することにある。
また、排気装置の吸引力を、キッチン壁側に位置する捕獲空間の例えば、開口後辺縁部の一辺縁側を除く、残る三辺縁の開口前辺縁部および開口両辺縁部に沿う吸込み隙間へと有効に伝播させて、前側２ヶ所の熱口や調理鍋から舞い上がってくる汚染空気の捕獲効率をさらに向上させることが期待できる整流板を備えたレンジフードを提供することにある。
【課題を解決するための手段】
【００１０】
前記課題を解決するために、本発明の整流板では、フード部の捕獲空間の開口周縁部の少なくとも一部に、前記捕獲空間の内側に向けて縁方向全長にわたらないように膨出させた膨出部を設けて、この膨出部の両側または片側に備えられる拡張空間を有する前記捕獲空間に取り付け配置されて、前記開口周縁部との間に吸込み間隙を確保する整流板であって、整流板本体は、前記膨出部に応じて対向する整流板の縁全長にわたらない窪み部を備え、この窪み部は、前記膨出部との間に前記吸込み間隙を確保する底面視形状にて前記整流板本体の周囲縁部に形成され、前記膨出部の両側または片側に備えられる拡張空間を有する部分において、前記吸込間隙の幅が他の部分より広いことを特徴とする。
【００１１】
ここで、前記窪み部は、底面視で略四角形状を呈する前記整流板本体の周囲四辺縁部のうち、その一辺縁部を、前記膨出部の膨出形状に沿わせ、かつ、前記捕獲空間の前記拡張空間側に向けて延設させることで形成される構成を採用することが好適なものとなる。
【００１２】
このような構成の整流板によれば、捕獲空間の開口周縁部の少なくとも一部に膨出部を備え、この膨出部の両側または片側に捕獲空間の拡張空間を有する開口形状の捕獲空間に、整流板本体を取り付けることで、膨出部との間に吸込み間隙を確保し、しかも、拡張空間における開口周縁部との間に吸込み隙間を確保することができる。
例えば、キッチン側に位置するフード部の前面部に沿う捕獲空間の開口周縁部の一部である開口前辺縁部の縁方向の中央部位に、照明設置部として利用される膨出部を備えてなる捕獲空間の開口形状において、窪み部によって膨出部との間に吸込み間隙を確保し、膨出部の膨出基部から連なる両側の拡張空間における開口前辺縁部との間においても吸込み間隙を確保するように、捕獲空間に整流板本体を取り付けることができる。
これにより、例えば、使用頻度が高く、キッチン側に位置する加熱調理器の前側２ヶ所の熱口や調理鍋などから舞い上がる汚染空気を、膨出部の膨出周面との間に確保される吸込み隙間と、前側２ヶ所の熱口の略真上に位置して開口する両側の拡張空間との間に確保される吸込み隙間に発生する吸込み作用によってキッチン天井側に取り逃がすことなく、確実に吸込み捕獲することが期待される。
【００１３】
また、本発明のレンジフードでは、捕獲空間を有するフード部と、前記捕獲空間の天面部に開口されている吸気口に連通させて前記フード部の上に設置される排気装置と、前記捕獲空間に取り付け配置されて、該捕獲空間の開口周縁部との間に吸込み間隙を確保する整流板と、を備えているレンジフードであって、前記捕獲空間の開口周縁部の少なくも一部に、前記捕獲空間の内側に向けて縁方向全長にわたらないように膨出させた膨出部を備えて、この膨出部の両側または片側に前記捕獲空間の拡張空間を備え、かつ、前記膨出部との間に前記吸込み間隙を確保する底面視形状の整流板本体は、前記膨出部に応じて対向する整流板の縁全長にわたらない窪み部を前記整流板の周囲縁部に備え、前記膨出部の両側または片側に備えられる拡張空間を有する部分において、前記吸込間隙の幅が他の部分より広いことを特徴とする。
【００１４】
ここで、前記膨出部は、底面視で略四角形状を呈する前記捕獲空間の前記開口周縁部の一部を除いて、該開口周縁部の縁幅を幅狭にすることで前記開口周縁部の前記一部に形成され、前記窪み部は、前記開口周縁部との間に、前記吸込み間隙を確保する程度の大きさに形成されて底面視で略四角形状を呈する前記整流板の周囲縁部のうち、その一辺縁部を、前記膨出部の膨出形状に沿わせ、かつ、前記捕獲空間の前記拡張空間側に向けて延設させることで前記一辺縁部に形成される構成を採用することが好適なものとなる。
【００１５】
また、前記吸気口が、底面視で前記フード部の中央部位よりもキッチン壁に接する該フード部の壁当接面部側寄りに位置して開口され、前記吸込み間隙が、前記壁当接面部側に位置する前記開口周縁部との間では狭く、前記壁当接部側以外の他の開口周縁部との間では広く確保されていることが好適なものとなる。
さらに、前記膨出部は、前記フード部に備えられるオイルパネルに一体に形成され、かつ、前記開口周縁部に略平面的に連なる膨出面の面周囲から前記捕獲空間の空間底および前記拡張空間の空間底に至る膨出周面形状が流線形に形成されていることが好適なものとなり、この膨出部が、照明設置部であり、照明設置部が、キッチン側に位置するフード部の前面部に沿う前記開口周縁部の縁方向の中央部位に備えられている。つまり、加熱調理器の前側２ヶ所の熱口間における中央部の略真上に位置する開口周縁部に前記照明設置部が備えられ、この照明設置部の両側には側２ヶ所の熱口の略真上に位置する前記捕獲空間の拡張空間が備えられる。
【００１６】
このような構成によれば、排気装置の運転により通気口から捕獲空間に伝播される吸引力によって、捕獲空間の内側に膨出する膨出部である照明設置部の膨出周面と整流板の窪み部との間、そして、捕獲空間の拡張空間の開口周縁部と整流板の周囲縁部との間に確保される吸込み隙間に効果的に勢いの良い吸込み作用が発生する。
これにより、加熱調理器の前側２ヶ所の熱口や調理鍋から舞い上がってくる汚染空気を、照明設置部の膨出周面との間の吸込み隙間から吸込み捕獲し、そして、前側２ヶ所の略真上に位置する両側の拡張空間の開口周縁部との間の隙間から拡張空間に吸込み捕獲することができる。
【００１７】
また、キッチン壁に接するフード部の壁当接面部側に位置する開口周縁部との間では吸込み隙間を狭く、壁当接部側以外の他の開口周縁部との間では吸込み隙間が広く確保される。例えば、キッチン壁に接するフード部の後側の吸込み隙間は狭く、キッチン側、そしてキッチン棚側のフード部の前側および左右両側の吸込み隙間は広くしている。
これにより、吸気口から捕獲空間に伝播された吸引力は、狭く設定されているフード部の後側の吸込み隙間側よりも、広く設定されているフード部の前側および左右両側の吸込み隙間により多く伝播される。
つまり、狭く設定されている吸込み隙間は気流抵抗（気流摩擦）が大きく、広く設定されている吸込み隙間は気流抵抗が小さいために、吸気口からの吸引力の伝播は、気流抵抗が少ないフード部の前側の吸込み隙間と左右両側の吸込み隙間に多めに行われ、この前側の吸込み隙間と左右両側の吸込み隙間に勢い良く発生する吸込み作用によって加熱調理器の前側２ヶ所の熱口や調理鍋から舞い上がり上昇に伴って広がる汚染空気を取り逃がすことなく、確実に捕獲空間へと吸込み捕獲することができる。
【００１８】
また、膨出部がオイルパネルに一体に備えられていることで、例えば、膨出部を照明設置部とした場合、照明ボックスを隠すための目隠し化粧部として照明設置部が役目を成す。これにより、別途の目隠し部材などを必要とせずに、照明を設置することができる。
また、オイルパネルをフード部に取り付けることで、照明設置部をフード部の前面部に沿う開口周縁部の縁方向の中央部位に備えることができることで、調理者の手元や加熱調理器の熱口にかけられた調理鍋の鍋底などを、フード部の前側に備えられる照明によって万遍に照らすことができる。
また、膨出部の膨出周面形状が捕獲空間および拡張空間の空間底に向けて流線形に形成されていることで、気流抵抗を受けることなく、円滑な流れにて汚染空気は捕獲空間および拡張空間に吸込み捕獲される。
【発明の効果】
【００１９】
本発明の整流板は以上のように構成されていることで、例えば、キッチン側に位置するフード部の前面部に沿う捕獲空間の開口周縁部の一部である開口前辺縁部の縁方向の中央部位に、照明設置部として利用される膨出部を備えてなる捕獲空間の開口形状において、捕獲空間に窪み部を備える特殊な整流板本体を取り付けることで、窪み部によって膨出部との間に吸込み間隙を確保し、膨出部の膨出基部から連なる両側の拡張空間における開口前辺縁部との間においても吸込み間隙を確保することができる。
これにより、キッチン側に位置する加熱調理器の前側２ヶ所の熱口や調理鍋などから舞い上がる汚染空気を、膨出部の膨出周面との間に確保される吸込み隙間と、前側２ヶ所の熱口の略真上に位置して開口する両側の拡張空間との間に確保される吸込み隙間に発生する吸込み作用によってキッチン天井側に取り逃がすことなく、確実に吸込み捕獲することができる。
【００２０】
また、本発明のレンジフードは以上のように構成されていることで、加熱調理器の前側２ヶ所の熱口の略真上に位置している捕獲空間の両側の拡張空間において、該拡張空間の開口周縁部と整流板の周囲縁部との間に確保される吸込み隙間に勢い良く発生する吸込み流速によって、加熱調理器の前側２ヶ所の熱口や調理鍋から舞いがってくる汚染空気を取り逃がすことなく、確実にキャッチして吸込み捕獲することができる。
つまり、両側の拡張空間は前側２ヶ所の熱口の略真上に位置して開口され、しかも、吸気口からより多くの吸引力が伝播されて整流板の周囲縁部（延長縁部）との間に確保される吸込み隙間に勢い良く吸込み流速が作用するなどから、前側２ヶ所の熱口や調理鍋から舞い上がってくる汚染空気を取り逃がすことなく、両側の拡張空間にて確実にキャッチして吸込み捕獲することができる。
【００２１】
また、例えば、キッチン壁に接するフード部の後側の吸込み隙間は狭く、キッチン側、そしてキッチン棚側のフード部の前側および左右両側の吸込み隙間は広く確保されていることで、吸気口から捕獲空間に伝播される排気装置の吸引力は、狭く設定されているフード部の後側の吸込み隙間側よりも、広く設定されているフード部の前側および左右両側の吸込み隙間により多く伝播されることができる。
これにより、フード部の前側および左右両側の吸込み隙間における吸込み流速の勢いをより一層高めることができるために、加熱調理器の前側２ヶ所の熱口や調理鍋から舞い上がってくる汚染空気の捕獲効率をさらに向上させることが期待できる。
【００２２】
また、膨出部を、照明を取り付ける照明設置部として使用した場合、照明設置部が照明ボックスを隠すための目隠し化粧部として役目を成すことで、照明の設置コストを低く抑えることができる。
【００２３】
また、照明設置部の膨出周面形状が捕獲空間および拡張空間の空間底に向けて流線形に形成されていることで、汚染空気は気流抵抗を受けることなく、円滑な流れにて捕獲空間および拡張空間に吸込み捕獲される。これにより、加熱調理器の前側２ヶ所の熱口や調理鍋から舞いがってくる汚染空気をキッチン天井側に取り逃がすことなく、より確実に吸込み捕獲し、その捕獲効率を向上させることができる。
【図面の簡単な説明】
【００２４】
【図１】本実施形態に係る整流板を備えた薄型レンジフードを、加熱調理器の略真上に位置させて設置した状態で示す縦断側面図である。
【図２】同横型レンジフードを示す底面図である。
【図３】同横型レンジフードを斜め下側から見上げたときの斜視図である。
【図４】整流板を開いた状態を斜め下側から見上げたときの同薄型レンジフードの斜視図である。
【図５】整流板を取り外した状態で加熱調理器の熱口とフード部の捕獲空間の開口形状との関係を示す薄型レンジフードの底面図である。
【図６】照明設置部と整流板の窪み部との関係を部分的に拡大して示す断面斜視図である。
【図７】本実施形態に係る整流板（整流板本体）を斜め上側から見たときの斜視図である。
【発明を実施するための形態】
【００２５】
以下、本発明の実施形態について、適宜図面を参照しながら詳細に説明する。
図１は、本実施形態に係る整流板を備えた薄型レンジフードを、加熱調理器の真上に位置させて設置した状態で示す縦断側面図であり、図２は、同薄型レンジフードの底面図であり、図３は、同薄型レンジフードを斜め下側から見上げたときの斜視図であり、図４は、整流板を開いた状態を斜め下側から見上げたときの同薄型レンジフードの斜視図である。
【００２６】
≪薄型レンジフードの構成≫
薄型レンジフードＡは、図１に示すように、加熱調理器Ｂの略真上に位置してキッチン壁Ｋ１に取り付け設置されて、調理中に発生する廃ガス、油煙、水蒸気、熱気などの汚染空気（汚染物質）Ｇを吸込み捕獲し、図示省略の排気ダクトを通して屋外に排気するように構成されている。
この薄型レンジフードＡは、図１に示すように、薄型（平型）で下向きに開口する捕獲空間Ｍを有するフード部１の上に排気装置２を設置して構成され、さらに、フード部１の捕獲空間Ｍに開口周縁部３ａ〜３ｃとの間に吸込み隙間Ｓ１〜Ｓ３を確保するように整流板（整流板本体）４を備えている。
【００２７】
このように、フード部１の上に排気装置２を設置して構成されるレンジフードＡは、周知の設置構造によってキッチン壁Ｋ１に取り付け設置される。例えば、図１に示すように、排気装置２の後記の排気ボックスがＬ形の吊り金具５と止めネジ６などを用いてキッチン壁Ｋ１に取り付けられて、加熱調理器Ｂの略真上に位置して設置されるものである。
【００２８】
また、レンジフードＡは、図１に示すように、排気装置２の排気ボックスの前側で、フード部１の天板７からキッチン天井Ｋ２に至る幕板（化粧版）８を備えている。
この幕板８は、フード部１の正面横幅に相当する幅と天板７の上からキッチン天井Ｋ２に至る高さを有する平板状に形成されて、図示省略のキッチン棚などの棚高さと略同じ位で、棚扉表面と略面一状態にて取り付けられるものである。
これにより、キッチン棚などとの統一感のあるデザイン性が図られるとともに、排気装置２や図示省略の排気ダクトなどがキッチンＫ側（調理者側）から目視されないように目隠しされる。
【００２９】
≪フード部の構成≫
ここでは、図１〜図３を適宜参照しながら説明する。
フード部１は、図１〜図３に示すように、下向きに開口する捕獲空間Ｍを有する扁平箱型に形成されている。具体的には、キッチンＫ側とキッチン壁Ｋ１側の前面部（前面板）１ａと後面部（後面板）１ｂとが長い平面視で横長の略四角形状に形成されている。
このフード部１は、捕獲空間Ｍの開口周縁部３ａ〜３ｃのうち、キッチンＫ側に位置する前面部１ａに沿う開口前辺縁部３ａの一部に、図１から図に示すように、捕獲空間Ｍの内側に向けて膨出させた膨出部である照明設置部９を備えるとともに、この照明設置部９の両側に捕獲空間Ｍの拡張空間Ｍ１を備えている。
【００３０】
また、フード部１は、天板７に連絡口１０を備えている。この連絡口１０は、図１に示すように、底面視で天板７の中央部位よりもキッチン壁Ｋ１に接するフード部１の壁当接面部である後面部１ｂ側寄りに位置して開口されている。
これにより、排気装置２の後記するファンケーシング２ｂにベルマウスにより形成される吸引口１１と、捕獲空間Ｍの天面部１３（後記のオイルパネル１７）に開口される後記の吸気口１２とを直結する接続口部材１４が挿通されるようにしている。
【００３１】
また、フード部１は、図１〜図３に示すように、前面部１ａの表側に操作スイッチ１５を備えている。この操作スイッチ１５は、排気装置２の後記するファンモータ２ｃの作動オン・オフ切り替えやその高速、中速、低速運転、つまり、排気能力（吸気能力）を強弱３段階に切り替えたり、後記の照明（ランプ）１６の点灯オン・オフ切り替えなどを行うタッチタイプまたはプッシュタイプのスイッチ類（図示省略）から構成されている。
【００３２】
≪捕獲空間の構成≫
図５は、整流板を取り外した状態で加熱調理器の熱口とフード部の捕獲空間の開口形状との関係を示す薄型レンジフードの底面図である。ここでは、図１〜図３を適宜参照しながら説明する。
捕獲空間Ｍは、天板７に開口されている連絡口１０側と捕獲空間Ｍの開口周縁部３ａ〜３ｃ側とを仕切るようにフード部１の開口内側に備えられるオイルパネル１７によってフード部１の厚さ内に納まる深さで、フード部１の前後面部１ａ，１ｂおよび両側面部１ｃに沿って下向きに開口する底面視で略四角形状に形成されている。
【００３３】
そして、捕獲空間Ｍの開口周縁部３ａ〜３ｃのうち、図１および図２に示すように、キッチンＫ側に位置する開口前辺縁部３ａの縁方向の中央部位に膨出部である照明設置部９を備えている。
これにより、照明設置部９の両側（フード部１の開口両側辺縁部３ｃに至る）には捕獲空間Ｍの開口面積をフード部１の開口前辺縁部３ａに向けて拡張する拡張空間Ｍ１がそれぞれ形成されるようにしている。つまり、従来技術では、照明設置部９の捕獲空間Ｍの内側への膨出幅にて縁方向全長に幅広に形成されていた開口前辺縁部３ａの縁幅を、照明設置部９が備えられる縁方向の中央部位を残して幅狭に形成することで、当該中央部位のみに適宜の幅を必要とする幅広の照明設置部９が備えられ、その両側にはフード部１の前面部１ａに向けて底面視で抉るように拡張された拡張空間Ｍ１がそれぞれ備えられた開口形状の捕獲空間Ｍとしている。
【００３４】
このように、照明設置部９を挟む両側にフード部１の前面部１ａに向けて拡張された拡張空間Ｍ１を有する開口形状の捕獲空間Ｍによれば、図１および図５に示すように、両側の拡張空間部Ｍ１が加熱調理器Ｂの前側２ヶ所の熱口ｂの略真上に位置することとなる。これによって、前側２ヶ所の熱口ｂおよび調理鍋Ｃから舞い上がり上昇に伴って広がる傾向にある汚染空気Ｇをキッチン天井Ｋ２側などに取り逃がすことなく、両側の拡張空間Ｍ１によって確実に吸込み捕獲することができる。
【００３５】
また、捕獲空間Ｍは、天面部１３（オイルパネル１７）に吸気口１２を備えている。この吸気口１２は、図１および図２に示すように、底面視で天面部１３の中央部位よりもフード部１の後面部１ｃ側寄りにおいて開口されている。つまり、フード部１の天板７に開口されている連絡口１０の開口軸芯上に略位置して天面部１３に開口されている。
これにより、捕獲空間Ｍの空気口１２が、前記したように、連絡口１０を挿通させて取り付けられる接続口部材１４によって排気装置２のファンケーシング２ｂの吸引口１１と直結されるようにしている。
【００３６】
≪照明設置部の構成≫
図６は、照明設置部と整流板の窪み部との関係を部分的に拡大して示す断面斜視図である。ここでは、図１および図３を適宜参照しながら説明する。
照明設置部９は、捕獲空間Ｍとともにオイルパネル１７がプレスによる絞り加工などによって形成されるときに、オイルパネル１７に一体に形成されるものである。
この照明設置部９は、図１および図６に示すように、フード部１の天板７との間において照明ボックス１８を内蔵し得るボックス収納空間１９をその内側に確保し得るように捕獲空間Ｍの内側（吸気口１２側）に向け、かつ、縁方向に所定の膨出幅にて開口前辺縁部３ａから底面視で略コの字形状（台形形状）に膨出形成されるものである。
そして、捕獲空間Ｍの開口前辺縁部３ａに略平面的に連なる膨出面２０の面周囲の三辺から捕獲空間Ｍの天面部１３である空間底および延長空間Ｍ１の空間底に至る照明設置部９の膨出周面形状は、図２および図６に示すように、流線形に形成されている。これにより、汚染空気Ｇが気流抵抗を受けることなく、円滑な流れにて捕獲空間Ｍおよび延長空間Ｍ１に吸込み捕獲されるようにしている。
また、照明設置部９の膨出面２０は、図１、図３および図６に示すように、加熱調理器Ｂの略中央部位（３ヶ所の熱口ｂの間）の方向に向けた斜め下向きき状に形成されているとともに、開口部２１が設けられている。
【００３７】
照明ボックス１８は、図１および図５に示すように、熱口ｂを前側２ヶ所と、後側中央１ヶ所に備えている加熱調理器Ｂの全体（トッププレート１７の全体）を万遍に照らすように、真下よりも加熱調理器Ｂの中央付近に向けた斜め下向きにて照明設置部９にネジ止めなどによって取り付け内蔵される。そして、図６に示すように、内側に段差を付けて開口する開口部２１には膨出面２０と段差がない略面一の状態で耐熱ガラスなどからなる透視板２２を有する蓋体２３が止めネジ２４によって開閉自在に取り付けられて閉蓋されるようになっている。
【００３８】
≪整流板の構成≫
図７は、本実施形態に係る整流板を斜め上側から見たときの斜視図である。ここでは、図１〜図４を適宜参照しながら説明する。
整流板４は、平板形状の底面視で略四角形状に形成されている。そして、この整流板４は、図１〜図３および図６に示すように、周囲縁部に沿わせて立上げ連設させた周囲立上り部２５を備えているとともに、捕獲空間Ｍの内側に膨出する照明設置部９に対応する一辺縁部に窪み部４ａを備えている。
【００３９】
≪窪み部の構成≫
窪み部４ａは、照明設置部９が備えられている捕獲空間Ｍの開口前辺縁部３ａとの間で吸込み隙間Ｓ１を確保する整流板４の一辺縁部において、照明設置部９の膨出形状（膨出周面）に沿わせ、かつ、捕獲空間Ｍの両側の拡張空間Ｍ１側に向けてそれぞれ延設させることで、図７に示すように、底面視で略四角形状を呈する整流板４の一辺縁部の縁方向の略中央部位において、底面視形状が略コの字形状（台形形状）に形成される。
つまり、窪み部４ａを挟む整流板４の一辺縁部の両側には、図２に示すように、整流板４の左右の両側辺縁部に連なるように延設された両側の拡張空間Ｍ１における開口前辺縁部３ａとの間で吸込み空隙Ｓ１を確保する延設縁部４ｂが備えられている。
これにより、両側の拡張空間Ｍ１における汚染空気Ｇの吸込み流速を確実に高めて、加熱調理器Ｂの前側２ヶ所の熱口ｂや調理鍋Ｃから舞い上がってくる多くの汚染空気Ｇを、キッチン天井Ｋ２側へと取り逃がすことなく、拡張空間Ｍ１（捕獲空間Ｍ）へと確実に吸込み捕獲し、屋外に排気することができる。
【００４０】
そして、このように一辺縁部の中央部位に窪み部４ａを備え、その両側に延長縁部４ｂを備えた整流板４は、図１および図２に示すように、フード部１の後側（キッチン壁Ｋ１側）に確保される吸込み隙間Ｓ２の間隔Ｌ１が狭く、フード部１の前側（キッチンＫ側）および左右両側（図示省略のキッチン棚側）に確保される吸込み隙間Ｓ１，Ｓ３の間隔Ｌ１，Ｌ３が広くなるように捕獲空間Ｍに取り付ける。
これにより、接続口部材１４を通して吸気口１２から捕獲空間Ｍに伝播される排気装置２からの吸引力は、フード部１の後側の吸込み隙間Ｓ２に比べて、フード部１の前側と左右両側の吸込み隙間Ｓ１，Ｓ３に多く伝播される。
つまり、後側の吸込み隙間Ｓ２は、図２に示すように、吸引力が伝播される吸気口１２から近いものの、前側の吸込み隙間Ｓ１の間隔Ｌ２と左右両側の吸込み隙間Ｓ３の間隔Ｌ３に比べて間隔Ｌ１が狭く設定されているために、気流抵抗（気流摩擦）が大きくなる。一方、前側の吸込み隙間Ｓ１と左右両側の吸込み隙間Ｓ３の間隔Ｌ１，Ｌ３は広く設定されているために、気流抵抗は小さい。これにより、吸気口１２からの吸引力の伝播は、気流抵抗が少ない前側の吸込み隙間Ｓ１と左右両側の吸込み隙間Ｓ２に多めに行われることになる。
【００４１】
ちなみに、整流板４は、図１に示すように、フード部１の後側における捕獲空間Ｍに備えられている左右の支持部材２６によって、整流板４の後側が回動自在で、かつ、適宜係脱自在に支持され、フード部１の前側における捕獲空間Ｍに備えられている左右の係脱部材２７によって、整流板４の前側が係脱自在に支持されて捕獲空間Ｍに、前記した形態にて取り付け配置されるようになっている。
これにより、整流板４の上に溜まった油脂分や捕獲空間Ｍの天面部１３（オイルパネル１７の内面）に付着している油脂分などの汚れを拭き取ったり、排気装置２の排気ファン２ｄをファンケーシング２ｂ内から取り外してシンクなどにおいて洗浄するときなどにおいて、図４に示すように、整流板８をフード部１の後側（キッチン壁Ｋ１側）に下向きに回動させて捕獲空間Ｍを開くことができるようにしている。また、後側の支持部材２６に対する係止（掛止）状態を解除することで、整流板４をシンクなどにおいて洗浄することができるようにしている。
【００４２】
≪排気装置の構成≫
ここでは、図１および図２を適宜参照しながら説明する。
排気装置２は、図１に示すように、フード部１の天板７上に横置きにて設置される。この排気装置２は、天板７の上にネジ止めなどによって取り付けられる排気ボックス２ａと、この排気ボックス２ａ内に内設されるファンケーシング２ｂと、このファンケーシング２ｂ内に、ファンモータ２ｃに軸支されて同軸上に収容される排気ファン（遠心ファンや多翼ファンなど）２ｄとを備えて構成されている。
【００４３】
そして、排気ボックス２ａ内に横置き（水平置き）に内設されるボリュート形状のファンケーシング２ｂにラッパ形状のベルマウスによって形成される吸引口１１と捕獲空間Ｍの天面部１３に開口されている吸気口１２とが、フード部１の天板７に開口されている連絡口１０を上下に挿通する接続口部材１４によって直結されることで、排気ファン２ｄの回転運転による吸引力が吸気口１２から捕獲空間Ｍに伝播され、各吸込み隙間Ｓ１〜Ｓ３に勢い良く吸込み流速が発生するようになっている。
ちなみに、接続口部材１４は、プレスなどによる絞り曲げ加工によって筒形状に形成されて、上端開口側が吸引口１１に、下端開口側が吸気口１２にそれぞれ接続されるようになっている。
【００４４】
次に、以上のように構成されている本実施形態に係る整流板（整流板本体）４およびこの整流板４を備えたレンジフードＡの作用について簡単に説明する。ここでは、図１および図２を適宜参照しながら説明する。
排気装置２の排気ファン２ｄが操作スイッチ１５による強弱３段階のいずれかによって回転運転すると、ファンケーシング２ｂの吸引口１１から接続口部材１４を通して吸気口１２から捕獲空間Ｍに吸引力が伝播される。このとき、捕獲空間Ｍに伝播された吸引力は、間隔Ｌ１が狭く設定されているフード部１の後側の吸込み隙間Ｓ２側よりも、間隔Ｌ２，Ｌ３が広く設定されているフード部１の前側および左右両側の吸込み隙間Ｓ１，Ｓ３側により多く伝播される。
これにより、加熱調理器Ｂからフード部１に至る全高にわたりキッチン壁Ｋ１が存在するフード部１の後側に比べて、汚染空気Ｇを取り逃がし易いフード部１の前側および左右両側の吸込み隙間Ｓ１，Ｓ３は、吸気口１２からより多く伝播されてくる吸引力によって勢い良く吸込み流速が作用するために、加熱調理器Ｂの熱口ｂや調理鍋Ｃから舞い上がり上昇に伴って広がる汚染空気Ｇを取り逃がすことなく、確実に捕獲空間Ｍへと吸込み捕獲し、屋外に排気することができる。
【００４５】
また、図１に一点鎖線で示す矢印のように、整流板４の窪み部４ａから加熱調理器Ｂの略中央部位に向けて臨むようにフード部１の前側に備えられた照明（ランプ）１６によって、調理者の手元は勿論、前側２ヶ所の熱口ｂにかけられている調理鍋Ｃの鍋底から加熱調理器Ｂ全体を万遍に、かつ、確実に照らすことができる。
【００４６】
そして、使用頻繁が高い加熱調理器Ｂの前側２ヶ所の熱口ｂや調理鍋Ｃから舞いがってくる汚染空気Ｇは、略真上に位置している捕獲空間Ｍの両側の拡張空間Ｍ１において取り逃がすことなく、確実にキャッチして吸込み捕獲することができる。
つまり、両側の拡張空間Ｍ１は、前側２ヶ所の熱口ｂの略真上に位置し、しかも、吸気口１２からより多くの吸引力が伝播されて整流板４の延長縁部４ｂとの間に確保される吸込み隙間Ｓ１に勢い良く吸込み流速が作用するなどから、前側２ヶ所の熱口ｂや調理鍋Ｃから舞いがってくる汚染空気Ｇを取り逃がすことなく、両側の拡張空間Ｍ１にて確実にキャッチして吸込み捕獲し、屋外に排気することができる。
【００４７】
なお、本発明の実施形態の具体的な構成は、前記した実施形態に限られるものではなく、請求項１〜請求項８に記載の本発明の要旨を逸脱しない範囲で設計変更などがあっても本発明に含まれるものである。
例えば、薄型レンジフードとして、前記した壁取り付けタイプ（背面設置タイプ）に限らず、キッチンとダイニングとの間のオープンカウンタに設置される加熱調理器の略真上に位置するようにキッチン壁に取り付けられて設置される壁取り付けタイプ（側面設置タイプ）でもよい。
この場合、フード部の左右両側のうち、その一方側が、キッチン壁に接する壁当接面部側となり、この壁当接面部側に位置する開口周縁部、例えば、図２において、フード部１の両側面部１ｃのうち、その一方の側面部１ｃ側に位置する開口側辺縁部３ｃとの間に確保される吸込み隙間Ｓ３の間隔を狭く、他の３辺周縁部３ａ〜３ｃとの間に確保される吸込み隙間Ｓ１〜Ｓ３の間隔が広くなるように、整流板を捕獲空間に備えるものである。
【００４８】
また、照明設置部９は、前記の実施形態が最良ではあるが、例えば、フード部１の後側（キッチン壁Ｋ１側）の縁方向の中央部位またはその両側部位に、或いは、フード部１の左右両側（図示省略のキッチン棚側）の縁方向の中央部位などに備えることができる。この場合、窪み部は、照明設置９の膨出位置に対応させた整流板４の周囲縁部にそれぞれ備えられる。そして、窪み部は、底面視形状が略Ｌ字形状に形成される。例えば、照明設置部９がフード部１の後側の縁方向の両側部位に備えられた場合などには、窪み部は整流板の後側の左右両側にそれぞれ底面視で略Ｌ字形状に形成される。
また、本実施形態ではフード部の内側にオイルパネルを備えた薄型レンジフードを例に説明したが、オイルパネルを備えていない薄型レンジフードにおいて、フード部の前面部および後面部、そして両側面部から内向き折り曲げ加工などによって形成される捕獲空間の開口周縁部の一部にライトボックスが内蔵される照明設置部などの膨出部を備え、この膨出部に対応した位置に窪み部を備える整流板を取り付けても良いものである。
【００４９】
また、膨出部は、照明設置部９として利用するに限られず、例えば、赤外線センサなどからなる受光部を有する検知機器類などを備える機器類設置部などとしても利用することが可能である。
【００５０】
また、捕獲空間Ｗおよび整流板４の底面視形状としては、略四角形状に限られるものでなく、例えば、底面視で略Ｕ字形状や楕円形状その他任意である。
【符号の説明】
【００５１】
Ａ      薄型レンジフード
１      フード部
１ａ    前面部
１ｂ    後面部
１ｃ    両側面部
２      排気装置
３ａ〜３ｃ  開口周縁部（開口前辺縁部、開口後辺縁部、開口両辺縁部）
４      整流板（整流板本体）
４ａ    窪み部
４ｂ    延長縁部
９      照明設置部（膨出部）
１２    吸気口
１３    天面部（空間底）
１６    照明
１７    オイルパネル
１８    照明ボックス
Ｍ      捕獲空間
Ｍ１    拡張空間
Ｓ１〜Ｓ３  吸込み隙間
Ｂ      加熱調理器
ｂ      熱口
Ｋ      キッチン
Ｋ１    キッチン壁
Ｋ２    キッチン天井
【図１】
0005577059.tif 000002
【図２】
0005577059.tif 000003
【図３】
0005577059.tif 000004
【図４】
0005577059.tif 000005
【図５】
0005577059.tif 000006
【図６】
0005577059.tif 000007
【図７】
0005577059.tif 000008